(57)【要約】【課題】、排出される空気によって充分なエアーカーテンを形成できるとともに、タバコのヤニ等がイオン発生機に付着され難くし、該イオン発生機の清掃の頻度を減少できる空気清浄装置を提供する。【解決手段】フィルタ１４を介して空気を吸入する送風機４０と、送風機４０からの空気を空気排出口３０へ導く第１の流路Ｗ１と、送風機４０からの空気を第１の流路Ｗ１に流れる空気量よりも少ない空気量で空気排出口３０へ導く第２の流路Ｗ２と、第２の流路Ｗ２に流れる空気をイオン化させるイオン発生機２０と、を有し、送風機４０からの空気を第１の流路Ｗ１と第２の流路Ｗ２とに分岐させて導く仕切板１６Ｃを設けた。【選択図】図３
2014176570.tif 000002
【特許請求の範囲】
【請求項１】
フィルタを介して空気を吸入する送風機と、
空気をイオン化させるイオン発生機と、
前記送風機からの前記空気を空気排出口へ導く第１の流路と、
前記イオン発生機に接するように設けられ、前記送風機からの前記空気を前記第１の流路に流れる空気量よりも少ない空気量で前記空気排出口へ導く第２の流路に分岐させて導く仕切板と、
を有することを特徴とする空気清浄装置。
【請求項２】
前記送風機は、
空気を前記第１の流路に導く第１回転羽根と、
空気を前記第２の流路に導く第２回転羽根と、
を有し、
前記第２回転羽根の空気吸引力は、前記第１回転羽根の空気吸引力よりも小さく構成されている、ことを特徴とする請求項１に記載の空気清浄装置。
【請求項３】
前記第２回転羽根の中心軸方向の高さは、
前記第１回転羽根の中心軸方向の高さよりも小さく形成されていることを特徴とする請求項２に記載の空気清浄装置。
【請求項４】
前記第２回転羽根を構成する羽根の数は、
前記第１回転羽根を構成する羽根の数よりも少なく形成されていることを特徴とする請求項２、３のいずれかに記載の空気清浄装置。
【請求項５】
前記第２回転羽根の径は、
前記第１回転羽根の径よりも小さく形成されていることを特徴とする請求項２、３、４のいずれかに記載の空気清浄装置。
【請求項６】
請求項１に記載の空気清浄装置が、
隣接する一対の遊技台の間に設けられる台間機内に収納され、
前記空気清浄装置の前記空気排出口からの空気が前記台間機から排出されることを特徴とする遊技機。
【発明の詳細な説明】
【技術分野】
【０００１】
本発明は空気清浄装置に係り、たとえば遊技機に取り付けられる空気清浄装置に関する。
【背景技術】
【０００２】
このような空気清浄装置として、たとえば下記特許文献１に開示されたものが知られている。
特許文献１に開示された空気清浄装置は、送風機（ブロア）からダクト内に吐出された空気が、イオン発生機から供給されるイオンとともに、排出口から排出されるように構成されている。
このような空気清浄装置は、たとえば、パチンコ台の間に配置される台間機に内蔵されて用いられ、該空気清浄装置の排出口からの空気は該台間機の表面からエアーカーテンの機能を持たせるように排出されるようになっている。
これにより、隣接するパチンコ台で遊技する遊技者が喫煙するタバコの煙が自分の側に浮遊してしまうのを該エアーカーテンによって回避できるようになる。
【先行技術文献】
【特許文献】
【０００３】
【特許文献１】特開２０１１−１８２９０９号公報
【発明の概要】
【発明が解決しようとする課題】
【０００４】
しかし、特許文献１に開示された空気清浄装置は、そのエアーカーテンの機能を向上させるために、送風機によってダクト内に突出せる空気の量を増大させるようにした場合、空気に含まれるタバコのヤニが大量にイオン発生機の電極に付着してしまい、該イオン発生機を頻繁に清掃しなければなくなるという不都合が生じていた。
本発明は、このような事情に鑑みてなされたものであり、その目的は、排出される空気によって充分なエアーカーテンを形成できるとともに、タバコのヤニ等がイオン発生機に付着され難くし、該イオン発生機の清掃の頻度を減少できる空気清浄装置を提供することにある。
【課題を解決するための手段】
【０００５】
本発明は、以下の構成によって把握される。
（１）本発明の空気清浄装置は、フィルタを介して空気を吸入する送風機と、空気をイオン化させるイオン発生機と、前記送風機からの前記空気を空気排出口へ導く第１の流路と、前記イオン発生機に接するように設けられ、前記送風機からの前記空気を前記第１の流路に流れる空気量よりも少ない空気量で前記空気排出口へ導く第２の流路に分岐させて導く仕切板と、を有することを特徴とする。
（２）本発明の空気清浄装置は、（１）の構成において、前記送風機は、空気を前記第１の流路に導く第１回転羽根と、空気を前記第２の流路に導く第２回転羽根と、を有し、前記第２回転羽根の空気吸引力は、前記第１回転羽根の空気吸引力よりも小さく構成されている、ことを特徴とする。
（３）本発明の空気清浄装置は、（２）の構成において、前記第２回転羽根の中心軸方向の高さは、前記第１回転羽根の中心軸方向の高さよりも小さく形成されていることを特徴とする。
（４）本発明の空気清浄装置は、（２）、（３）のいずれかの構成において、前記第２回転羽根を構成する羽根の数は、前記第１回転羽根を構成する羽根の数よりも少なく形成されていることを特徴とする。
（５）本発明の空気清浄装置は、（２）、（３）、（４）のいずれかの構成において、前記第２回転羽根の径は、前記第１回転羽根の径よりも小さく形成されていることを特徴とする。
（６）本発明の遊技機は、（１）に記載の空気清浄装置が、隣接する一対の遊技台の間に設けられる台間機内に収納され、前記空気清浄装置の前記空気排出口からの空気が前記台間機から排出されることを特徴とする。
【発明の効果】
【０００６】
このように構成した空気清浄装置によれば、排出される空気によって充分なエアーカーテンを形成できるとともに、タバコのヤニ等がイオン発生機に付着され難くし、該イオン発生機の清掃の頻度を減少できるようになる。
【図面の簡単な説明】
【０００７】
【図１】本発明の遊技機を示す正面図である。
【図２】本発明の空気清浄装置の外観を示す図である。
【図３】図２のIII−III線における断面図である。
【図４】図２のIV−IV線における断面図である。
【図５】本発明の空気清浄装置においてアッパーケースを外した状態を示す図である。
【図６】本発明の空気清浄装置に用いられる送風機の２段構成の羽根部を示す図である。
【図７】本発明の空気清浄装置に用いられる案内仕切部を示す斜視図である。
【図８】本発明の空気清浄装置に用いられる案内仕切部をロアーケースに取付ける場合を説明図である。
【図９】本発明の空気清浄装置に用いられる送風機の２段構成の羽根部の他の実施形態を示す図である。
【発明を実施するための形態】
【０００８】
以下、添付図面を参照して、本発明を実施するための形態（以下、実施形態）について詳細に説明する。なお、実施形態の説明の全体を通して同じ要素には同じ番号を付している。
（実施形態１）
図１（ａ）は、本発明の遊技機を示す正面図である。図１に示すように、間隙を有して隣接されるパチンコ台１、１が配置され、これらパチンコ台１、１の該間隙に台間機２が配置されている。台間機２には、その高さ方向の一部の箇所に空気清浄装置１０が内蔵され、この空気清浄装置１０の空気排出口３０から排出される清浄化された空気は、台間機２の表面に形成されたパネル３に設けられた空気吹出口４を通して吹き出されるようになっている。なお、図１（ｂ）は、空気清浄装置１０とパネル３を拡大して示した図である。図１（ｂ）に示すように、パネル３に形成された空気吹出口４は縦長の形状となっており、この空気吹出口４から排出された空気はエアーカーテンを形成するようになっている。
【０００９】
図２（ａ）は、台間機２から取り外した空気清浄装置１０の外観を示す正面図である。図２（ａ）に示すように、空気清浄装置１０の正面には空気排出口３０が設けられている。この場合、空気清浄装置１０は、互いに係合されるロアーケース１１Ａとアッパーケース１１Ｂとで筐体１１を有し、空気排出口３０はロアーケース１１Ａ側に設けられている。なお、空気排出口４は、図中上下方向に延在される長孔からなり、たとえば、そのほぼ中央に隔壁が設けられるようになっている。
【００１０】
図２（ｂ）は、空気清浄装置１０をアッパーケース１１Ｂ側から観た側面図である。図２（ｂ）に示すように、空気清浄装置１０の側面には、空気排出口３０に隣接する部分において開閉可能な蓋１２が取り付けられ、該蓋１２に隣接し空気排出口３０から遠ざかる部分において多数の空気吸入孔１３Ａからなる空気吸入部１３が形成されている。
【００１１】
蓋１２の裏面には、図２（ｂ）のIII−III線における断面図である図３、図２（ｂ）のIV−IV線における断面図である図４に示すように、イオン発生機２０が取り付けられている。これにより、イオン発生機２０が取り付けられる蓋１２を閉じることによって、該イオン発生機２０を空気清浄装置１０の筐体１１内の所定の位置に配置させることができる。このイオン発生機２０については、後に詳述する。
【００１２】
また、空気吸入部１３が形成されたアッパーケース１１Ｂの裏面には、図３に示すように、フィルタ１４が配置されるようになっている。これにより、空気吸入部１３を通して吸入される筐体１１外の空気はフィルタ１４を通して筐体１１内に導かれるようになっている。
【００１３】
空気吸入部１３を通してなされる空気の吸入は、図３に示すように、筐体１１内に該空気吸入部１３に対向して配置される送風機（ブロア）４０によってなされるようになっている。
【００１４】
図５は、アッパーケース１１Ｂを取り外した空気清浄装置１０を示した斜視図である。図５において、送風機４０は、ロアーケース１１Ａに取り付けられたモータ４１と、このモータ４１の周囲に配置される円環状の羽根部４２とで構成されている。羽根部４２は、その周方向に沿って複数の羽根４２ａが並設されて構成されている。このように構成された送風機４０は、モータ４１の駆動によって、羽根部４２がモータ４１の周りに回転し、筐体１１の外の空気を空気吸入部１３を通して筐体１１の内部に導くようになっている。
【００１５】
ここで、羽根部４２は、図３に示すように、モータ４１の中心軸方向に２段構成からなり、ロアーケース１１Ａ側の１段目はｈ１の高さで羽根４２ａの数が多く形成され、２段目はｈ２（＜ｈ１）の高さで羽根４２ａの数が少なく形成されている。なお、図６（ａ）は、図３のVI（ａ）−VI（ａ）線における断面図を、図６（ｂ）は、図３のVI（ｂ）−VI（ｂ）線における断面図を示し、１段目の羽根部４２の羽根４２ａの数は多く、２段目の羽根部４２の羽根４２ａの数は少なくなっていることが明らかとなる。これにより、送風機４０の２段目の羽根部４２の空気吸引力は、１段目の羽根部４２の空気吸引力よりも小さく構成されるようになる。
【００１６】
また、図５に示すように、ロアーケース１１Ａには、送風機４０の周囲の一部を囲み、該送風機４０によって吸入された空気を空気排出口３０に導く案内仕切部１６が設けられている。
【００１７】
図７（ａ）、（ｂ）は、案内仕切部１６を示す斜視図である。図７（ａ）は、アッパーケース１１Ｂ（図３参照）側から観た図で、図７（ｂ）は、ロアーケース１１Ａ（図３参照）側から観た図である。図７（ａ）、（ｂ）において、案内仕切部１６は、たとえば、送風機４０の周囲の一部を囲む円弧状仕切板１６Ａと、この円弧状仕切板１６Ａの両端から空気排出口３０側に延在する一対の空気導出仕切板１６Ｂと、空気導出仕切板１６Ｂに流入される空気をロアーケース１１Ａ（図３参照）側とアッパーケース１１Ｂ（図３参照）側に分岐させる分岐仕切板１６Ｃと、この分岐仕切板１６Ｃのアッパーケース１１Ｂ側の面に形成され空気排出口３０の隔壁（図２参照）を構成する上部分割仕切板１６Ｄと、前記分岐仕切板１６Ｃのロアーケース１１Ａ側の面に形成され空気排出口３０の隔壁（図２参照）を構成する下部分割仕切板１６Ｅと、から構成されている。
なお、このように構成される案内仕切部１６は、図８に示すように、送風機４０が取り付けられたロアーケース１１Ａに対して、図中矢印方向に挿入させることにより、図５に示した構成とすることができる。
【００１８】
案内仕切板１６の円弧状仕切板１６Ａは、図３に示すように、ロアーケース１１Ａからほぼｈ１の高さを有するようになっている。これにより、送風機４０の１段目の羽根部４２は円弧状仕切板１６Ａ内に配置され、送風機４０の２段目の羽根部４２はフィルタ１４に近接され円弧状仕切板１６Ａ外に配置されるようになっている。
【００１９】
また、案内仕切板１６の分岐仕切板１６Ｃは、図３に示すように、円弧状仕切板１６Ａの上端部からロアーケース１１Ａ側に末広がりになるテーパ１６Ｆを介してロアーケース１１ＡからＨ１の高さで配置されるようになっている。この場合、分岐仕切板１６Ｃは、イオン発生機２０の表面と対向するように配置され、分岐仕切板１６Ｃからイオン発生機２０の表面までの高さはＨ２（＜Ｈ１）となっている。
【００２０】
ここで、イオン発生機２０には、分岐仕切板１６Ｃ側に向けて、上記Ｈ２よりも小さな高さで一対のイオン発生用電極２１が植設されている。イオン発生用電極２１は、プラス電極、マイナス電極からなり、図４に示すように、案内仕切部１６の空気導出仕切板１６Ｂの幅方向に距離を隔てて配置されている。
【００２１】
これにより、空気吸入部１３（フィルタ１４）から送風機４０によって吸引される空気は、図３に示すように、ロアーケース１１Ａと分岐仕切板１６Ｃの間に形成される第１流路Ｗ１を通して空気排出口３０に流れ、イオン発生機２０と分岐仕切板１６Ｃの間に形成される第２流路Ｗ２を通して空気排出口３０に流れるようになる。この場合、第１流路Ｗ１に流れる空気は、送風機４０の１段目の羽根部４２（図６（ｂ）参照）によって吸引されることから、その吸引量（流量）が大きいのに対し、第２流路Ｗ２に流れる空気は、送風機４０の２段目の羽根部４２（図６（ａ）参照）によって吸引されることから、その吸引量（流量）が小さくなる。
【００２２】
このため、第２流路Ｗ２に配置されるイオン発生機２０には、少ない量の空気が流れることから、イオン発生機２０のイオン発生用電極に付着されるタバコのヤニの量を少なくすることができるようになる。このため、イオン発生機２０の清掃の頻度を減少できるようになる。
【００２３】
一方、空気清浄装置１０の空気排出口３０から排出される空気は、第１流路Ｗ１からも供給され、その空気量を充分に確保することができるようになる。このため、排出される空気によって充分なエアーカーテンを形成できるようになる。
【００２４】
したがって、このように構成した空気清浄装置１０によれば、排出される空気によって充分なエアーカーテンを形成できるとともに、タバコのヤニ等がイオン発生機２０（特に、イオン発生用電極２１）に付着され難くし、該イオン発生機２０の清掃の頻度を減少できるようになる。
【００２５】
（実施形態２）
実施形態１では、送風機４０の２段構成からなる羽根部４２において、ロアーケース１１Ａ側の１段目はｈ１の高さで羽根４２ａの数が多く形成され、２段目はｈ２（＜ｈ１）の高さで羽根４２ａの数が少なく形成されている（図３、図６参照）。
【００２６】
しかし、これに限定されることはなく、ロアーケース１１Ａ側の１段目はｈ１の高さで、２段目はｈ２（＜ｈ１）の高さで構成し、それぞれの羽根４２ａの数を等しくするように構成してもよい。
また、ロアーケース１１Ａ側の１段目の羽根４２ａの数を多く、２段目の羽根４２ａの数を少なく形成し、それらの高さは等しくするように構成してもよい。
【００２７】
（実施形態３）
また、図６（ａ）、（ｂ）に対応づけて描いた図９（ａ）、（ｂ）に示すように、ロアーケース１１Ａ側の１段目の羽根部４２の径Ｒ１を大きく、２段目の羽根部４２の径Ｒ２（＞Ｒ１）を小さく形成するように構成するようにしてもよい。
【００２８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２９】
１……パチンコ台、
２……台間機、
３……パネル、
４……空気吹出口、
１０……空気清浄装置、
１１……筐体、
１１Ａ……ロアーケース、
１１Ｂ……アッパーケース、
１２……蓋、
１３……空気吸入部、
１３Ａ……空気吸入孔、
１４……フィルタ、
１６……案内仕切部、
１６Ａ……円弧状仕切板、
１６Ｂ……空気導出仕切板、
１６Ｃ……分岐仕切板、
１６Ｄ……上部分割仕切板、
１６Ｅ……下部分割仕切板、
２０……イオン発生機、
２１……イオン発生用電極、
３０……空気排出口、
４０……送風機（ブロア）
４１……モータ、
４２……羽根部。
【図１】
2014176570.tif 000003
【図２】
2014176570.tif 000004
【図３】
2014176570.tif 000005
【図４】
2014176570.tif 000006
【図５】
2014176570.tif 000007
【図６】
2014176570.tif 000008
【図７】
2014176570.tif 000009
【図８】
2014176570.tif 000010
【図９】
2014176570.tif 000011